(57)【要約】【課題】ヒーターや温水または冷媒コイルを搭載しなくても気化式の加湿器で必要な加湿量が確保でき、また、排気と給気の風量を制御できるため、全熱交換器の熱交換効率を効率の良いポイントで使用でき小さな加湿器で製品構成が簡単でコンパクト性のある加湿換気装置を提供できること。【解決手段】外気を室内に吸入する給気送風機１を有する給気風路２と室内空気を室外に排出する排気送風機３を有した排気風路４との間に外気と室内空気を熱交換させる全熱交換器５を備え、前記給気風路２の室内吹出口６と全熱交換器５の間に加湿器７を設けた換気装置において、前記排気風路４にある室内吸込口８から前記給気風路２にある前記加湿器７の上流側へ空気を流すためのバイパス送風機９を設けた構造として、加熱装置を搭載しなくとも加熱でき、加湿可能にしたため、構造が容易、かつ、コンパクトな加湿換気装置が得られる。【選択図】図１
2009287861.tif 000002
【特許請求の範囲】
【請求項１】
外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、前記排気風路にある室内吸込口から前記給気風路にある前記加湿器の上流側へ空気を流すためのバイパス送風機を設けた構造としたことを特徴とする加湿換気装置。
【請求項２】
前記加湿器の上流側において吹き出し空気の温度を検知する空気温度検知手段と、この検知された温度により前記バイパス送風機の送風量を決定する演算制御部とを設けた請求項１記載の加湿換気装置。
【請求項３】
前記排気風路の全熱交換器の下流側において風速を検知する排気風速検知手段と、この検知された風速により前記排気送風機の送風量を決定する演算制御部とを設けた請求項１または２に記載の加湿換気装置。
【請求項４】
前記給気風路の全熱交換器の上流側において風速を検知する給気風速検知手段と、この検知された風速により前記給気送風機の送風量を決定する演算制御部とを設けた請求項１〜３いずれかに記載の加湿換気装置。
【請求項５】
前記排気風路の室内より空気を吸込む室内吸込口および前記給気風路の室内へ空気を吹出す室内吹出口のそれぞれのダクト接続径が、前記給気風路の室外より空気を吸込む室外給気口および前記排気風路の室外へ排出する室外排気口のそれぞれのダクト径より大きい構造としたことを特徴とする請求項１〜４いずれかに記載の加湿換気装置。
【請求項６】
外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、天井内空気を吸込み前記加湿器の上流側へ空気を流すための天井内用送風機を設けた構造としたことを特徴とする加湿換気装置。
【請求項７】
前記加湿器の上流側において吹き出し空気の温度を検知する空気温度検知手段と、この検知された温度により前記天井内用送風機の風量を決定する演算制御部とを設けた請求項６記載の加湿換気装置。
【請求項８】
前記排気風路の全熱交換器の下流側において風速を検知する排気風速検知手段と、この検知された風速により前記排気送風機の風量を決定する演算制御部とを設けた請求項６または７に記載の加湿換気装置。
【請求項９】
前記給気風路の全熱交換器の上流側において風速を検知する給気風速検知手段と、この検知された風速により前記給気送風機の風量を決定する演算制御部とを設けた請求項６〜８いずれかに記載の加湿換気装置。
【請求項１０】
前記給気風路の室内へ空気を吹出す室内吹出口のダクト接続径が、前記排気風路の室外より空気を吸込む室外給気口、前記排気風路の室外へ排出する室外排気口および前記給気風路の室内より空気を吸込む室内吸込口のそれぞれのダクト径より大きい構造としたことを特徴とする請求項６〜９いずれかに記載の加湿換気装置。
【発明の詳細な説明】
【技術分野】
【０００１】
本発明は、換気する場合に外気と室内空気とを熱交換させる全熱交換器に室内を加湿する加湿器を搭載した換気装置に関するものである。
【背景技術】
【０００２】
従来、この種の換気装置は、全熱交換器の下流側と加湿器の間に加熱用の熱交換器を搭載しているものや、または、天井内の空気を顕熱交換器で一旦外気を熱交換させ加熱させ、次に全熱交換器で室内空気と前記顕熱交換器で加熱された外気を熱交換させた後、加湿する構造がよく知られている（例えば、特許文献１参照）。
【０００３】
以下、その構造について図４および図５を参照しながら説明する。
【０００４】
図に示すように、換気装置の構成は、外気を室内に吸入する給気送風機１０１を有する給気風路１０２と室内空気を室外に排出する排気送風機１０３を有した排気風路１０４との間に外気と室内空気を熱交換させる全熱交換器１０５を備え、前記給気風路の室内吹出口１０６と全熱交換器１０５の間に加湿器１０７を設けた構造としたものである。
【０００５】
また、文献にある事例では、室外給気口１１０の下流側に天井内空気を送風できる天井内送風機１１１と外気と天井内空気を熱交換させる顕熱交換器１１２を設ける構造を追加したものである。
【特許文献１】特開２００２−３４９９２４号公報
【発明の開示】
【発明が解決しようとする課題】
【０００６】
このような従来の加湿換気装置では、特に冬期の加湿が必要な時期に例えば外気が温度０℃  相対湿度５０％（このときの絶対湿度＝０．００１９ｋｇ／ｋｇ’）で、室内が温度２２℃  相対湿度４０％（このときの絶対湿度＝０．００６６ｋｇ／ｋｇ’）と仮定すると、全熱交換器により排気と給気を熱交換（例えば熱交換効率７０％）させても、加湿器の直前の空気は温度が約１５℃  相対湿度も約４５％（このときの絶対湿度＝０．００５１ｋｇ／ｋｇ’）となり、気化熱を利用した加湿方式（例えば、滴下気化式、超音波式、透湿膜式、噴霧式等）では等エンタルピー変化で飽和効率（式１）が約８０％以上の性能が必要になるが、実力は飽和効率が約７０％程度しかなく排気による外気への湿度放出分を加湿で補うことはできず、加湿量を確保するには加湿器の上流側に加熱手段としてヒーターや温水または冷媒コイルを搭載するか、室内に別途専用加湿器を設ける必要があった。
【０００７】
【数１】
2009287861.tif 000003
【０００８】
また、前記全熱交換器の熱交換効率は排気と給気が１：１の場合であり、実使用状態ではダクト配管の引き回し等により給気と排気のバランスが崩れ、熱交換効率も低下し設計していた温度と湿度の回収できず、熱交換後の空気の温度と湿度が低くなり、飽和効率が同じ（７０％）でも絶対加湿量が不足することがあった。
【０００９】
また、天井内の比較的暖かい空気（室温に近い温度の空気）で顕熱交換器を用いて、空気を暖めてから少しでも高い温度で加湿器に吹出すように工夫されているが、専用の送風機と顕熱交換器を搭載しなければならず、製品が大きくなる必要があった。
【００１０】
本発明は、このような従来の課題を解決するものであり、ヒーターや温水または冷媒コイルを搭載しなくても気化式の加湿器で必要な加湿量が確保でき、また、排気と給気の風量を制御して、全熱交換器の熱交換効率を効率の良いポイントで使用できるため、小さな加湿器でも加湿できるようにすることを目的としている。また、熱回収を良くするため、熱交換器を複数設けて多段にすることなく製品のサイズをコンパクトにすることができる全熱交換器搭載した加湿換気装置を提供することを目的としている。
【課題を解決するための手段】
【００１１】
本発明の加湿換気装置は上記目的を達成するために、外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、前記排気風路にある室内吸込口から前記給気風路にある前記加湿器の上流側へ空気を流すためのバイパス送風機を設けた構造としたものである。
【００１２】
この手段により室内の暖かい空気を利用することができ、加熱用のヒーターや温水または冷媒コイル等の搭載がないため構造が容易で、加湿器および製品のコンパクト性を向上することができる加湿換気装置が得られる。
【００１３】
また他の手段は、前記加湿器の上流側において吹き出し空気の温度を検知する空気温度検知手段と、この検知された温度により前記バイパス送風機の送風量を決定する演算制御部とを設けたことを特徴とするものである。
【００１４】
これにより、加湿に必要な空気温度に調節するための、バイパス送風機の消費電力を制御でき無駄な運転がなく効率よく加湿できる加湿換気装置が得られる。
【００１５】
また、他の手段は、前記排気風路の全熱交換器の下流側において風速を検知する排気風速検知手段と、この検知された風速により前記排気送風機の送風量を決定する演算制御部とを設けたことを特徴とするものである。
【００１６】
これにより、必要な排気風量を一定に確保しながら室内の暖かい空気を利用することができ、加熱用のヒーターや温水または冷媒コイル等の搭載がなく構造が容易で、加湿器および製品のコンパクト性を向上することができる加湿換気装置が得られる。
【００１７】
また他の手段は、前記給気風路の全熱交換器の上流側において風速を検知する給気風速検知手段と、この検知された風速により前記給気送風機の送風量を決定する演算制御部とを設けたことを特徴とするものである。
【００１８】
これにより、必要は給気風量を一定に確保しながら室内の暖かい空気を利用することができ、加熱用のヒーターや温水または冷媒コイル等の搭載がなく構造が容易で、加湿器および製品のコンパクト性を向上することができる加湿換気装置が得られる。
【００１９】
また他の手段は、前記排気風路の室内より空気を吸込む室内吸込口および前記給気風路の室内へ空気を吹出す室内吹出口のそれぞれのダクト接続径が、前記給気風路の室外より空気を吸込む室外給気口および前記排気風路の室外へ排出する室外排気口のそれぞれのダクト径より大きい構造としたことを特徴とするものである。
【００２０】
これにより、加湿量を向上するための室内空気循環分の増えた風量によるダクトでの圧力損失を低減でき、省エネにすることができる加湿換気装置が得られる。
【００２１】
また他の手段は、外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、天井内空気を吸込み前記加湿器の上流側へ空気を流すための天井内用送風機を設けた構造としたことを特徴としたものである。
【００２２】
これにより、天井内の暖かい空気を混合することにより、簡単な構造で、加湿に必要な加熱エネルギーが容易に利用できる加湿換気装置が得られる。
【００２３】
また他の手段は、前記加湿器の上流側において吹き出し空気の温度を検知する空気温度検知手段と、この検知された温度により前記天井内用送風機の風量を決定する演算制御部とを設けたことを特徴とするものである。
【００２４】
これにより、天井内の暖かい空気を混合することにより、簡単な構造で、加湿に必要な加熱エネルギーが容易に利用でき、かつ、加湿に必要な空気温度に調節するための、天井内用送風機の消費電力を制御でき無駄な運転がなく効率よく加湿できる加湿換気装置が得られる。
【００２５】
また他の手段は、前記排気風路の全熱交換器の下流側において風速を検知する排気風速検知手段と、この検知された風速により前記排気送風機の風量を決定する演算制御部とを設けたことを特徴とするものである。
【００２６】
これにより、必要な排気風量を一定に確保しながら天井内の暖かい空気を利用することができ、加熱用のヒーターや温水または冷媒コイル等の搭載がないため構造が容易で、加湿器および製品のコンパクト性を向上することができる加湿換気装置が得られる。
【００２７】
また、他の手段は、前記給気風路の全熱交換器の上流側において風速を検知する給気風速検知手段と、この検知された風速により前記給気送風機の風量を決定する演算制御部とを設けたことを特徴とするものである。
【００２８】
これにより、必要な給気風量を一定に確保しながら天井内の暖かい空気を利用することができ、加熱用のヒーターや温水または冷媒コイル等の搭載がないため構造が容易で、加湿器および製品のコンパクト性を向上することができる加湿換気装置が得られる。
【００２９】
また、他の手段は、前記給気風路の室内へ空気を吹出す室内吹出口のダクト接続径が、前記給気風路の室外より空気を吸込む室外給気口、前記排気風路の室外へ排出する室外排気口および前記排気風路の室内より空気を吸込む室内吸込口のそれぞれのダクト径より大きい構造としたことを特徴とするものである。
【００３０】
これにより、天井内の暖かい空気を利用することができ、加熱用のヒーターや温水または冷媒コイル等の搭載がなく構造が容易で、加湿器および製品のコンパクト性を向上し、加湿量を向上するための室内供給分の増えた風量によるダクトでの圧力損失を低減でき、省エネにすることができる加湿換気装置が得られる。
【発明の効果】
【００３１】
本発明によれば、ヒーターや温水または冷媒コイルを搭載しなくても気化式の加湿器で必要は加湿量が確保できる加湿換気装置を提供できる。
【００３２】
また、排気と給気の風量を制御できるため、全熱交換器の熱交換効率を効率の良いポイントで使用できるため、小さな加湿器でも加湿できる加湿換気装置を提供できる。
【００３３】
また、製品構成が簡単でコンパクト性のある加湿換気装置を提供できる。
【発明を実施するための最良の形態】
【００３４】
本発明は、外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、前記排気風路にある室内吸込口から前記給気風路にある前記加湿器の上流側へ空気を流すためのバイパス送風機を設けた構造としたことを特徴とするものであり、室内の暖かい空気を混合することにより特別な加熱装置を設けなくとも加湿前の空気を加熱することができコンパクトな加湿器で加湿が可能という作用を有する。
【００３５】
また、請求項２記載の発明は前記加湿器の上流側において吹き出し空気の温度を検知する空気温度検知手段と、この検知された温度により前記バイパス送風機の送風量を決定する演算制御部とを設けたことを特徴とするものであり、室内の暖かい空気を混合することにより特別な加熱装置を設けなくとも加湿前の空気を加熱することができコンパクトな加湿器で、かつ、加熱するための室内空気の循環量で制御でき無駄なエネルギーをかけずに加湿することが可能という作用を有する。
【００３６】
また、請求項３記載の発明は、前記排気風路の全熱交換器の下流側において風速を検知する排気風速検知手段と、この検知された風速により前記排気送風機の送風量を決定する演算制御部とを設けたことを特徴とするものであり、室内の暖かい空気を混合することにより特別な加熱装置を設けなくとも加湿前の空気を加熱することができコンパクトな加湿器で加湿ができ、かつ、排気風量も所定量確保することが可能という作用を有する。
【００３７】
また、請求項４記載の発明は、前記給気風路の全熱交換器の上流側において風速を検知する給気風速検知手段と、この検知された風速により前記給気送風機の送風量を決定する演算制御部とを設けたことを特徴とするものであり、室内の暖かい空気を混合することにより特別な加熱装置を設けなくとも加湿前の空気を加熱することができコンパクトな加湿器で加湿ができ、かつ、給気風量も所定量確保することが可能という作用を有する。
【００３８】
また、請求項５記載の発明は、前記排気風路の室内より空気を吸込む室内吸込口および前記給気風路の室内へ空気を吹出す室内吹出口のそれぞれのダクト接続径が、前記給気風路の室外より空気を吸込む室外給気口および前記排気風路の室外へ排出する室外排気口のそれぞれのダクト径より大きい構造としたことを特徴とするのであり、室内の暖かい空気を混合することにより特別な加熱装置を設けなくとも加湿前の空気を加熱することができコンパクトな加湿器になり、かつ、加熱量を室内空気の循環量増加によるダクト配管内の圧力損失を抑制して加湿することが可能という作用を有する。
【００３９】
また、請求項６記載の発明は、外気を室内に吸入する給気送風機を有する給気風路と室内空気を室外に排出する排気送風機を有した排気風路との間に外気と室内空気を熱交換させる全熱交換器を備え、前記給気風路の室内吹出口と全熱交換器の間に加湿器を設けた換気装置において、天井内空気を吸込み前記加湿器の上流側へ空気を流すための天井内用送風機を設けた構造としたことを特徴とすものであり、天井内の暖かい空気を混合することにより特別な加熱装置を設けなくとも加湿前の空気を加熱することができコンパクトな加湿器で加湿することが可能という作用を有する。
【００４０】
また、請求項７記載の発明は、前記加湿器の上流側において吹き出し空気の温度を検知する空気温度検知手段と、この検知された温度により前記天井内用送風機の風量を決定する演算制御部とを設けたことを特徴とするものであり、天井内の暖かい空気を混合することにより特別な加熱装置を設けなくとも加湿前の空気を加熱することができコンパクトな加湿器で、かつ、加熱するための天井内空気量が制御でき無駄なエネルギーをかけずに加湿することが可能という作用を有する。
【００４１】
また、請求項８記載の発明は、前記排気風路の全熱交換器の下流側において風速を検知する排気風速検知手段と、この検知された風速により前記排気送風機の風量を決定する演算制御部とを設けたことを特徴とするものであり、天井内の暖かい空気を混合することにより特別な加熱装置を設けなくとも加湿前の空気を加熱することができコンパクトな加湿器で加湿ができ、かつ、排気風量も所定量確保することが可能という作用を有する。
【００４２】
また、請求項９記載の発明は、前記給気風路の全熱交換器の上流側において風速を検知する給気風速検知手段と、この検知された風速により前記給気送風機の風量を決定する演算制御部とを設けたことを特徴とするものであり、天井内の暖かい空気を混合することにより特別な加熱装置を設けなくとも加湿前の空気を加熱することができコンパクトな加湿器で加湿ができ、かつ、給気風量も所定量確保することが可能という作用を有する。
【００４３】
また、請求項１０記載の発明は、前記給気風路の室内へ空気を吹出す室内吹出口のダクト接続径が、前記給気風路の室外より空気を吸込む室外給気口、前記排気風路の室外へ排出する室外排気口および前記排気風路の室内より空気を吸込む室内吸込口のそれぞれのダクト径より大きい構造としたことを特徴とするものであり、天井内の暖かい空気を混合することにより特別な加熱装置を設けなくとも加湿前の空気を加熱することができコンパクトな加湿器になり、かつ、加熱量を天井内空気量増加によるダクト配管内の圧力損失を抑制して加湿することが可能という作用を有する。
【実施例】
【００４４】
以下、本発明のバイパス送風機を搭載した加湿換気装置の一実施例を図面に基づいて説明する。
【００４５】
（実施例１）
図１に示すように、加湿換気装置の全体構成は、外気を室内に吸入する給気送風機１を有する給気風路２と室内空気を室外に排出する排気送風機３を有した排気風路４との間に外気と室内空気を熱交換させる全熱交換器５を備えている。また、給気風路２には、室内吹出口６と全熱交換器５の間に加湿器７を設けている。排気風路４には、室内吸込口８から給気風路２内の加湿器７の上流側へ空気を流すためのバイパス送風機９を設けた構造としている。なお、バイパス送風機９の吹出口または吸込口にバイパス送風機９が運転するときのみ開となるダンパー（図示せず）を用いても構わない。
【００４６】
このような構成において、加湿が必要な場合、すなわち、冬場における動作を説明する。冬場では、室内は暖房されているので、室内の暖かい空気が室内吸込口８から排気風路４へと吸い込まれる。一方、冷たい外気は給気風路２に取り込まれる。この冷たい外気と暖かい室内空気は、全熱交換器５において熱交換され、給気風路２内の外気が温められることになる。このように給気風路２内の空気は室内からの排気によるエネルギーを回収して温められており、加湿器７を通過する際の加湿量が確保されることになる。次にバイパス送風機９は、温かい室内空気を全熱交換器５を通さずに直接給気風路２内へと送風する。このように、給気風路２へは、さらに温度の高い空気を混合させることになるので、加湿量を増大させることができる。
【００４７】
上記作用についてさらに詳しく説明する。冬場の加湿が必要な時期に、例えば外気が温度０℃  相対湿度５０％（このときの絶対湿度＝０．００１９ｋｇ／ｋｇ’）で、室内が温度２２℃  相対湿度４０％（このときの絶対湿度＝０．００６６ｋｇ／ｋｇ’）と仮定すると、全熱交換器により排気と給気を熱交換（例えば熱交換効率７０％）させても、加湿器の直前の空気は温度が約１５℃  相対湿度も約４５％（このときの絶対湿度＝０．００５１ｋｇ／ｋｇ’）しかないが、バイパス送風機９を運転することにより、室内の暖房された空気（例えば２２℃  相対湿度４０％ＲＨ）を室内吸込口８から吸込み、バイパス送風機９を経由して、加湿器７の上流側へ暖かい空気を送風することになり、室外給気口から給気され全熱交換器５で熱交換された外気の空気と同風量で混合すれば加湿器７に送られる空気は１８．５℃  相対湿度４３％ＲＨ（このときの絶対湿度＝０．００５７ｋｇ／ｋｇ’）となり、飽和効率３２％前後で必要絶対湿度まで加湿可能で、加熱するためのヒーター、温水コイルまたは、冷媒コイルを搭載せずに気化式加湿でも加湿でき加湿不足を解消できるという効果がある。
【００４８】
（実施例２）
以下、本発明の加湿換気装置の他の実施例を図面に基づいて説明する。なお、上記実施例と同一機能を有する構成には同一符号を付して説明を省略する。また下記の実施例で図示しないその他の構成については上記実施例と同様の構成をしている。
【００４９】
図２に示すように、加湿器７の上流部に空気温度検知手段１０を設けて空気温度を検知する。演算制御部１１では、空気温度検知手段１０で検知した空気温度に従って、加湿量が確保できる温度になるようにバイパス送風機９の回転数を制御するようにしている。また、排気風路４にある室外排気口１５の上流流側に排気風速検知手段１２を備え、同様に給気風路２にある室外給気口１４の下流側に給気風速検知手段１３を備えている。排気風速検知手段１２および給気風速検知手段１３で検知した温度に従って、演算制御部１１で排気および給気風量が一定になるように排気送風機３および給気送風機１の回転数を制御出来るようにしている。また、バイパス送風機９の運転により給気風量が増加すること想定し圧力損出が大きくならないように室内吹出口６および室内吸込口８のダクト接続径を大きくなるようにしている。
【００５０】
上記構成によれば、冬場の加湿が必要な時期に、例えば、実施例１と同じ空気条件とした時に、加湿器７の飽和効率を考慮して加湿器７の上流の空気温度が所定の温度以下にならないようにバイパス送風機９の回転数を増加させ室内の暖房された暖かい空気の量を増やし室外給気口から給気され全熱交換器５で熱交換された外気の空気の温度をあげることにより、絶対湿度が確保できる温度に加熱するためのヒーター、温水コイルまたは冷媒コイルを搭載せずに気化式加湿でも加湿でき加湿不足もなくバイパス送風機９の最小限のエネルギーで加湿することができるという効果がある。
【００５１】
また、ダクト配管の引き回しや、外気風速による圧力バランスが崩れても、排気風速検知手段１２および給気風速検知手段１３でそれぞれの風速を検知し、それぞれ所定風速になるように給気送風機１および排気送風機３の回転数を制御して風量を確保することにより、所定の換気風量を維持しながら確実な加湿ができるという効果がある。
【００５２】
また、バイパス送風機９の運転により室内を循環する風量が増加するため、例えば、室外給気口１４と室外排気口１５のダクト接続径が直径１５０ｍｍであれば、室内を循環する風量がバイパス送風機９により２倍になるのであれば室内吹出口６および室内吸込口８のダクト接続径を直径２００ｍｍにしておけば圧力損失が大きくならず、バイパス送風機９に無駄なエネルギーがかからず加湿ができるという効果がある。
【００５３】
（実施例３）
図３に示すように、天井内空気を吸込み給気風路２にある加湿器７の上流側へ流すための天井内用送風機１６を設けた構造としている。なお、天井内用送風機１６の吹出口または吸込口に天井内用送風機１６が運転するときのみ開となるダンパー（図示せず）を用いても構わない。
【００５４】
なお、天井内の空気が加湿換気装置に吸込まれ、室内に吹出されるが、同量の空気が室内よりシステム天井等の隙間を通って天井内へ空気が補充される。
【００５５】
上記構成によれば、冬場の加湿が必要な時期として、例えば、実施例１と同じ空気条件とした時に、加湿器７の飽和効率を考慮して加湿器７の上流の空気温度が所定の温度以下にならないように天井内用送風機１６の回転数を制御して天井内の比較的暖かい空気と室外給気口から給気され全熱交換器５で熱交換された外気の空気との混合比を調整することにより、絶対湿度が確保できる温度に加熱するためのヒーター、温水コイルまたは冷媒コイルを搭載せずに気化式加湿でも加湿でき加湿不足もなく天井内用送風機１６の最小限のエネルギーで加湿することができるという効果がある。
【００５６】
また、ダクト配管の引き回しや、外気風速による圧力バランスが崩れても、排気風速検知手段１２および給気風速検知手段１３でそれぞれの風速を検知し、それぞれ所定風速になるように給気送風機１および排気送風機３の回転数を制御して風量を確保することにより、所定の換気風量を維持しながら確実な加湿ができるという効果がある。
【００５７】
また、天井内送風機１６の運転により室内吹出口６を通過する風量が２倍に増加する場合、例えば、室内吸込口８、室外給気口１４または室外排気口１５のダクト接続径の直径が１５０ｍｍであれば室内吹出口６のダクト接続径の直径を２００ｍｍにしておけば圧力損失も大きくならず、天井内送風機１６に無駄なエネルギーがかからず加湿ができるという効果がある。
【産業上の利用可能性】
【００５８】
本発明は、換気する場合に外気と室内空気とを熱交換させる全熱交換器に室内を加湿する加湿器を搭載した省エネ換気が必要である技術分野に適用可能である。
【図面の簡単な説明】
【００５９】
【図１】本発明の実施例１における加湿換気装置の内部構造を示す同加湿換気装置の構成図
【図２】本発明の実施例２における加湿換気装置の内部構造を示す同加湿換気装置の構成図
【図３】本発明の実施例３における加湿換気装置の内部構造を示す同加湿換気装置の構成図
【図４】従来の加湿換気装置の内部構造を示す同加湿換気装置の構成図
【図５】従来の熱交換器を二段利用した加湿換気装置の内部構造を示す同加湿換気装置の構成図
【符号の説明】
【００６０】
１    給気送風機
２    給気風路
３    排気送風機
４    排気風路
５    全熱交換器
６    室内吹出口
７    加湿器
８    室内吸込口
９    バイパス送風機
１０  空気温度検知手段
１１  演算制御部
１２  排気風速検知手段
１３  給気風速検知手段
１４  室外給気口
１５  室外排気口
１６  天井内用送風機
【図１】
2009287861.tif 000004
【図２】
2009287861.tif 000005
【図３】
2009287861.tif 000006
【図４】
2009287861.tif 000007
【図５】
2009287861.tif 000008